(57)【要約】【課題】入力クラッチが接続状態で手動変速機がニュートラル状態の惰性走行時に、同期噛合クラッチにシンクロ押付負荷が加えられて摩耗、損傷することを防止する。【解決手段】入力クラッチ１４が接続状態で且つ手動変速機１６がニュートラル状態の惰性走行時に、同期噛合クラッチ４８がシンクロ押付負荷状態と判断された場合（ステップＳ２の判断がＹＥＳ）には、ステップＳ３以下の同期噛合クラッチ保護処理が実行されることにより、ウォーニングが発せられるとともにエンジン回転速度ＮＥが上昇させられるため、同期噛合クラッチ４８の摩擦係合による摩耗や損傷が抑制されて手動変速機１６の耐久性が向上する。【選択図】図８
2011163510.tif 000002
【特許請求の範囲】
【請求項１】
運転者のシフトレバー操作に従って機械的に同期噛合クラッチのクラッチハブスリーブが移動させられることにより、シンクロナイザリングが変速ギヤのコーン部に押し付けられて、回転を同期させながらニュートラル状態から所定のギヤ段に切り換えられる手動変速機と、
該手動変速機と走行用駆動源との間に配設され、運転者のクラッチ操作に従って動力伝達の接続、遮断状態が切り換えられる入力クラッチと、
を有する車両の制御装置において、
前記入力クラッチが接続状態で且つ前記手動変速機がニュートラル状態の惰性走行時に、前記同期噛合クラッチのシンクロナイザリングを前記コーン部に押し付けるシンクロ押付負荷が加えられている場合には、ウォーニングを発するか前記走行用駆動源の回転速度を上昇させ、或いはその両方を行う同期噛合クラッチ保護手段を備えている
ことを特徴とする車両の制御装置。
【請求項２】
前記手動変速機は、複数のギヤ段を成立させることが可能なもので、該ギヤ段に対応して複数の同期噛合クラッチを備えているとともに、
前記シフトレバーは、ニュートラル選択時には自然状態において所定の原位置に保持されるとともに、該原位置から車両後側へ操作されると後側ギヤ段が選択されるようになっており、
前記同期噛合クラッチ保護手段は、前記後側ギヤ段を成立させるための同期噛合クラッチにシンクロ押付負荷が加えられている場合にのみ、前記ウォーニングを発するか前記走行用駆動源の回転速度を上昇させ、或いはその両方を行う
ことを特徴とする請求項１に記載の車両の制御装置。
【請求項３】
前記手動変速機は前進４段以上のギヤ段を成立させることが可能なもので、前記後側ギヤ段は第４速ギヤ段である
ことを特徴とする請求項２に記載の車両の制御装置。
【請求項４】
前記手動変速機は、変速比が異なる複数のギヤ段を成立させることが可能なもので、該複数のギヤ段に対応して複数の同期噛合クラッチを備えている一方、
前記同期噛合クラッチ保護手段は、前記シンクロ押付負荷が加えられている同期噛合クラッチにより成立させられるギヤ段を検出するとともに、該ギヤ段および車速に基づいて前記走行用駆動源の同期回転速度を算出し、該同期回転速度に基づいて定められる目標回転速度まで該走行用駆動源の回転速度を上昇させる
ことを特徴とする請求項１〜３の何れか１項に記載の車両の制御装置。
【発明の詳細な説明】
【技術分野】
【０００１】
本発明は車両の制御装置に係り、特に、同期噛合クラッチによって所定のギヤ段が成立させられる手動変速機の耐久性を向上させる技術に関するものである。
【背景技術】
【０００２】
(a) 運転者のシフトレバー操作に従って機械的に同期噛合クラッチのクラッチハブスリーブが移動させられることにより、シンクロナイザリングが変速ギヤのコーン部に押し付けられて、回転を同期させながらニュートラル状態から所定のギヤ段に切り換えられる手動変速機と、(b) その手動変速機と走行用駆動源との間に配設され、運転者のクラッチ操作に従って動力伝達の接続、遮断状態が切り換えられる入力クラッチと、を有し、(c) 入力クラッチを遮断した状態でシフトレバーを操作して手動変速機を所定のギヤ段に切り換える手動変速式の車両が知られている。特許文献１に記載の変速機は、上記同期噛合クラッチによって変速が行われる同期噛合式変速機の一例で、手動変速機としても好適に用いられる。
【０００３】
上記手動変速機は、一般に前進４段以上のギヤ段を成立させることが可能で、そのギヤ段に対応して複数の同期噛合クラッチを備えている。また、シフトレバーは、ニュートラル選択時には自然状態において付勢手段等により所定の原位置に保持されるとともに、その原位置から車両前側へ操作されると例えば第３速ギヤ段が選択され、原位置から車両後側へ操作されると例えば第４速ギヤ段が選択されるようになっている。
【先行技術文献】
【特許文献】
【０００４】
【特許文献１】特開２００９−１９１９２２号公報
【発明の概要】
【発明が解決しようとする課題】
【０００５】
しかしながら、このような従来の手動変速式の車両において、例えば入力クラッチが接続状態で手動変速機がニュートラル状態の惰性走行を行っている際に、運転者がシフトレバーに手を置いていると、無意識のうちに車両前後方向へ力が加えられて、何れかのギヤ段の同期噛合クラッチのシンクロナイザリングが変速ギヤのコーン部に押し付けられ、同期回転させようとするシンクロ押付負荷が発生することがある。しかしながら、入力クラッチが接続状態とされた惰性走行時には、駆動源の回転速度によって入力側の回転速度が定まる一方、出力側の回転速度は車速によって決まるため、入出力回転を変速比に応じて同期させることはできず、シンクロナイザリングやコーン部が摩耗して損傷し、その後の通常のシフト操作時に摩擦による同期が損なわれてギヤ鳴り等の異音が発生するなどのシフト操作不良を生じることがある。
【０００６】
例えば、シフトレバーの原位置の車両前側に第３速ギヤ段の選択操作位置があり、原位置の車両後側に第４速ギヤ段の選択操作位置がある場合、運転者は無意識のうちにシフトレバーを車両後側すなわち手前に引くように力を加えていることが多く、これが長期間に亘って繰り返されると、第４速ギヤ段の同期噛合クラッチが集中的に摩耗して損傷する可能性がある。シフトレバーの原位置の手前側の選択ギヤ段が第４速ギヤ段以外の場合でも同様な問題が発生することは、第４速ギヤ段の場合と同じである。なお、シフトレバーの配設位置や取付角度、或いは運転者の運転姿勢等によっては、車両前側へ力が加えられる場合もあるし、原位置からセレクト方向（車両の左右方向）へ操作して車両の前後方向へ力を加えることもあるなど、必ずしも原位置の車両後側に設けられた選択ギヤ段のみに特有の問題ではない。
【０００７】
本発明は以上の事情を背景として為されたもので、その目的とするところは、入力クラッチが接続状態で手動変速機がニュートラル状態の惰性走行時に、同期噛合クラッチにシンクロ押付負荷が加えられて摩耗、損傷することを防止することにある。
【課題を解決するための手段】
【０００８】
かかる目的を達成するために、第１発明は、(a) 運転者のシフトレバー操作に従って機械的に同期噛合クラッチのクラッチハブスリーブが移動させられることにより、シンクロナイザリングが変速ギヤのコーン部に押し付けられて、回転を同期させながらニュートラル状態から所定のギヤ段に切り換えられる手動変速機と、(b) その手動変速機と走行用駆動源との間に配設され、運転者のクラッチ操作に従って動力伝達の接続、遮断状態が切り換えられる入力クラッチと、を有する車両の制御装置において、(c) 前記入力クラッチが接続状態で且つ前記手動変速機がニュートラル状態の惰性走行時に、前記同期噛合クラッチのシンクロナイザリングを前記コーン部に押し付けるシンクロ押付負荷が加えられている場合には、ウォーニングを発するか前記走行用駆動源の回転速度を上昇させ、或いはその両方を行う同期噛合クラッチ保護手段を備えていることを特徴とする。
【０００９】
第２発明は、第１発明の車両の制御装置において、(a) 前記手動変速機は、複数のギヤ段を成立させることが可能なもので、そのギヤ段に対応して複数の同期噛合クラッチを備えているとともに、(b) 前記シフトレバーは、ニュートラル選択時には自然状態において所定の原位置に保持されるとともに、その原位置から車両後側へ操作されると後側ギヤ段が選択されるようになっており、(c) 前記同期噛合クラッチ保護手段は、前記後側ギヤ段を成立させるための同期噛合クラッチにシンクロ押付負荷が加えられている場合にのみ、前記ウォーニングを発するか前記走行用駆動源の回転速度を上昇させ、或いはその両方を行うことを特徴とする。
【００１０】
第３発明は、第２発明の車両の制御装置において、前記手動変速機は前進４段以上のギヤ段を成立させることが可能なもので、前記後側ギヤ段は第４速ギヤ段であることを特徴とする。
【００１１】
第４発明は、第１発明〜第３発明の何れかの車両の制御装置において、(a) 前記手動変速機は、変速比が異なる複数のギヤ段を成立させることが可能なもので、その複数のギヤ段に対応して複数の同期噛合クラッチを備えている一方、(b) 前記同期噛合クラッチ保護手段は、前記シンクロ押付負荷が加えられている同期噛合クラッチにより成立させられるギヤ段を検出するとともに、そのギヤ段および車速に基づいて前記走行用駆動源の同期回転速度を算出し、その同期回転速度に基づいて定められる目標回転速度までその走行用駆動源の回転速度を上昇させることを特徴とする。
【発明の効果】
【００１２】
このような車両の制御装置においては、入力クラッチが接続状態で且つ手動変速機がニュートラル状態の惰性走行時に同期噛合クラッチにシンクロ押付負荷が加えられている場合には、同期噛合クラッチ保護手段によってウォーニングが発せられるか走行用駆動源の回転速度が上昇させられ、或いはその両方が行われるため、同期噛合クラッチの摩耗や損傷が抑制されて手動変速機の耐久性が向上する。すなわち、ウォーニングによって運転者がシフトレバーを放すなどして同期噛合クラッチの押し付けが解除されれば、シンクロ押付負荷による摩耗や損傷が防止される一方、走行用駆動源の回転速度を上昇させれば、同期噛合クラッチの相対回転速度が小さくなって摩耗や損傷が抑制される。
【００１３】
第２発明は、ニュートラル選択時にはシフトレバーが自然状態において所定の原位置に保持されるとともに、その原位置から車両後側へ操作されると所定の後側ギヤ段が選択される場合で、同期噛合クラッチ保護手段は、その後側ギヤ段を成立させるための同期噛合クラッチにシンクロ押付負荷が加えられている場合にのみ、ウォーニングを発するか走行用駆動源の回転速度を上昇させ、或いはその両方を行うため、その保護処理の実行に伴う燃費の悪化等を抑制しつつ同期噛合クラッチの摩耗や損傷を適切に抑制することができる。すなわち、惰性走行時にシフトレバーに手を置いている運転者は無意識のうちに車両後側すなわち手前に引くように力を加えていることが多く、原位置の車両後側に選択操作位置が設定されている後側ギヤ段（例えば第４速ギヤ段など）の同期噛合クラッチが集中的に摩耗して損傷する可能性がある。このため、その後側ギヤ段を成立させるための同期噛合クラッチにシンクロ押付負荷が加えられている場合にのみ所定の保護処理を実行することにより、必要以上にその保護処理が行われて燃費等が悪化することを抑制しつつ、後側ギヤ段の同期噛合クラッチの摩耗や損傷を適切に抑制して手動変速機の耐久性を向上させることができる。
【００１４】
第４発明は、変速比が異なる複数のギヤ段を成立させることが可能な手動変速機を備えている場合で、同期噛合クラッチ保護手段は、シンクロ押付負荷が加えられている同期噛合クラッチにより成立させられるギヤ段を検出するとともに、そのギヤ段および車速に基づいて走行用駆動源の同期回転速度を算出し、その同期回転速度に基づいて定められる目標回転速度までその走行用駆動源の回転速度を上昇させるため、同期噛合クラッチの相対回転速度を適切に低減して摩耗や損傷を抑制することができる。すなわち、走行用駆動源の同期回転速度はギヤ段の変速比に応じてそれぞれ異なるため、シンクロ押付負荷が加えられている同期噛合クラッチにより成立させられるギヤ段を検出して同期回転速度を算出することにより、目標回転速度を適切に設定して同期噛合クラッチの摩耗や損傷を抑制することができるのである。
【００１５】
また、走行用駆動源の回転速度を同期回転速度まで上昇させれば同期噛合クラッチの相対回転速度が０になり、摩耗や損傷が確実に防止されるが、走行用駆動源の作動で燃費が悪化するとともに、同期により運転者の意に反して同期噛合クラッチが噛み合って所定のギヤ段が成立してしまう恐れがある。これに対し、第４発明では同期回転速度に基づいて目標回転速度を設定するため、その目標回転速度が同期回転速度よりも低回転に定められるようにすれば、運転者の意に反して所定のギヤ段が成立したり燃費が悪化したりすることをできるだけ抑制しつつ、同期噛合クラッチの摩耗や損傷が適切に抑制されるようにすることができる。
【図面の簡単な説明】
【００１６】
【図１】本発明が好適に適用される車両用駆動装置の概略構成を示す骨子図である。
【図２】図１の車両用駆動装置が備えている入力クラッチの概略構成を説明する図である。
【図３】図１の車両用駆動装置が備えている手動変速機の同期噛合クラッチを説明する図である。
【図４】図１の車両用駆動装置が備えている手動変速機のシフト・セレクトシャフトを説明する断面図である。
【図５】図４のシフト・セレクトシャフトの回転角度から同期噛合クラッチにシンクロ押付負荷が加えられているシンクロ押付負荷状態か否かを判定する方法を説明する図である。
【図６】図１の車両用駆動装置において、同期噛合クラッチ保護手段に関する制御系統を説明するブロック線図である。
【図７】図６の電子制御装置が同期噛合クラッチ保護手段に関して備えている各種の機能を説明する機能ブロック線図である。
【図８】図７の各種の機能によって実行される処理内容を具体的に説明するフローチャートである。
【図９】図８のフローチャートに従って各種の処理が行われた場合のエンジン回転速度ＮＥおよびウォーニングのＯＮ、ＯＦＦの変化を示すタイムチャートの一例である。
【図１０】本発明の他の実施例を説明する図で、図７に対応する機能ブロック線図である。
【図１１】図１０の各種の機能によって実行される処理内容を具体的に説明するフローチャートである。
【図１２】本発明の更に別の実施例を説明する図で、エンジン回転速度ＮＥの変化に基づいて同期噛合クラッチにシンクロ押付負荷が加えられたか否かを判定する方法を説明する図である。
【発明を実施するための形態】
【００１７】
手動変速機は、例えば前進４段以上のギヤ段を有し、各ギヤ段に対応して同期噛合クラッチが設けられるが、前進３段以下であっても良いし、前進１段および後進１段等の前後進切換え用の手動変速機であっても良い。また、シフトレバーは、例えば車両前後方向のシフト方向へシフト操作（移動操作乃至は傾倒操作）されることにより、ニュートラル状態から所定のギヤ段選択操作位置へ操作されるように構成される。ギヤ段が３つ以上ある場合、車両幅方向に複数のセレクト位置が設けられ、各セレクト位置において車両前後方向のシフト方向へシフト操作されることにより所定のギヤ段選択操作位置へ操作されるようにすれば良い。
【００１８】
上記シフトレバーは、ニュートラル位置ではセレクト方向へ移動操作可能とされるとともに、スプリング等の付勢手段により自然状態では常に所定の原位置、例えば車両前側の第３速ギヤ段選択操作位置と車両後側の第４速ギヤ段選択操作位置との間、に保持されるように構成される。このシフトレバーは、例えばリンクやプッシュプルケーブル等の機械式連動装置を介して手動変速機に連結され、同期噛合クラッチのクラッチハブスリーブを機械的に移動させるように構成される。
【００１９】
入力クラッチは、例えば乾式の摩擦クラッチにて構成され、ダイヤフラムスプリング等の付勢手段により常には接続状態（係合状態）に保持される一方、クラッチペダル等のクラッチ操作部材が運転者によって操作されることにより、付勢手段の付勢力に抗して遮断状態（解放状態）とされるように構成される。入力クラッチとクラッチ操作部材との間は、例えばリンクやプッシュプルケーブル等の機械式連動装置を介して連結され、クラッチ操作部材の遮断操作に従って機械的に入力クラッチが遮断状態とされるように構成される。クラッチ操作部材の操作を電気的に検出して、油圧アクチュエータや電動アクチュエータ等により入力クラッチを接続、遮断するように構成することもできるし、入力クラッチとして電磁クラッチ等の自動クラッチを採用することも可能である。そして、この入力クラッチが遮断状態とされることにより、シフトレバー操作により機械的に無理なく手動変速機のギヤ段を切り換えることが可能となる。
【００２０】
同期噛合クラッチ保護手段は、同期噛合クラッチにシンクロ押付負荷が加えられている場合に警告音や警告表示等のウォーニングを発するだけでも良いし、走行用駆動源の回転速度を上昇させるだけでも良いし、その両方を行う場合でも良い。単に一時的に手が触れただけの誤操作や極短時間だけシンクロ押付負荷が加えられた場合までそのような制御を行う必要はなく、また燃費の点からも、シンクロ押付負荷が予め定められた一定時間以上継続して加えられた場合に上記保護処理を実行するようにすることが望ましい。また、先にウォーニングを実行し、それでも改善されない場合に所定時間後に走行用駆動源の回転速度を上昇させることが望ましい。走行用駆動源としては、エンジン等の内燃機関や電動モータなど種々の駆動源を採用できる。
【００２１】
同期噛合クラッチにシンクロ押付負荷が加えられているか否かは、例えばシフトレバーやそのシフトレバーに機械的に連結された部材、或いは同期噛合クラッチそのもののシフトストローク（回転角度や移動量など）から判断することができる。また、同期噛合クラッチのシンクロナイザリングが変速ギヤのコーン部に押し付けられると、その摩擦により少なくとも一時的に入力側の回転速度が上昇するため、この時の入力側の回転速度変化からシンクロ押付負荷の有無を判定することも可能である。走行用駆動源がエンジンで、アイドル回転速度制御が行われる場合、入力側の回転速度変化およびそのアイドル回転速度制御の制御内容の変化から、シンクロ押付負荷の有無を判定することもできる。
【００２２】
第４発明では、シンクロ押付負荷が加えられている同期噛合クラッチにより成立させられるギヤ段（以下、シンクロ押付ギヤ段という）を検出し、そのシンクロ押付ギヤ段および車速に基づいて走行用駆動源の同期回転速度を算出するとともに、その同期回転速度に基づいて目標回転速度を設定するが、他の発明の実施に際しては、その同期回転速度を目標回転速度として走行用駆動源を制御するようにしても良い。第４発明の実施に際しては、同期回転速度よりも低い目標回転速度を設定して、燃費の悪化をできるだけ抑制することが望ましい。この目標回転速度は、例えば同期回転速度よりも予め定められた一定値だけ低い回転速度、或いは一定割合だけ低い回転速度などで、同期回転速度に応じて一定値が設定されても良いが、時間の経過に伴って連続的に或いは段階的に上昇するようにしても良いなど、種々の態様が可能である。同期回転速度は、例えば手動変速機の入力側回転速度Ｎinと走行用駆動源の回転速度とが同じ場合、車速に対応する出力側回転速度Ｎout にシンクロ押付ギヤ段の変速比ｅsiを掛け算することによって求められる。
【００２３】
第２発明は、シフトレバーの原位置の車両後側に後側ギヤ段（例えば第４速ギヤ段）の選択操作位置が設けられている場合で、シンクロ押付ギヤ段がその後側ギヤ段の場合にのみ同期噛合クラッチ保護手段による保護処理が実行されるが、他の発明の実施に際しては、総てのギヤ段について同期噛合クラッチ保護手段による保護処理が実行されるようにしても良い。第３発明では、上記後側ギヤ段が第４速ギヤ段であるが、第２発明の実施に際しては、シフトレバーの原位置の車両後側の選択操作位置が第４速ギヤ段以外の場合でも、その原位置の車両後側の選択操作位置によって選択されるギヤ段についてのみ同期噛合クラッチ保護手段による保護処理が実行されるようにしても良い。シフトレバーの配設位置や取付角度などによっては、逆に原位置から車両前側へ押すように力が加えられる場合もあり、その場合は原位置の車両前側の選択操作位置によって選択される前側ギヤ段についてのみ同期噛合クラッチ保護手段による保護処理が行われるようにしても良いし、原位置の前後に選択操作位置が定められた前側ギヤ段および後側ギヤ段についてのみ同期噛合クラッチ保護手段による保護処理が行われるようにしても良いなど、種々の態様が可能である。
【実施例１】
【００２４】
以下、本発明の実施例を、図面を参照しつつ詳細に説明する。
図１は、本発明が適用された車両用駆動装置１０の概略構成を説明する骨子図で、ＦＦ（フロントエンジン・フロントドライブ）車両用のものであり、走行用駆動源としてのエンジン１２、入力クラッチ１４、手動変速機１６、差動歯車装置１８を備えている。入力クラッチ１４は、例えば図２に示す乾式単板式の摩擦クラッチで、エンジン１２のクランクシャフト２０に取り付けられたフライホイール２２、クラッチ出力軸２４に配設されたクラッチディスク２６、クラッチハウジング２８に配設されたプレッシャプレート３０、プレッシャプレート３０をフライホイール２２側へ付勢することによりクラッチディスク２６を挟圧して動力伝達するダイヤフラムスプリング３２、クラッチペダル３４が踏み込み操作されることによりレリーズフォーク３６を介して図の左方向へ移動させられ、ダイヤフラムスプリング３２の内端部を図の左方向へ変位させてクラッチを遮断（解放）するレリーズスリーブ３８、を有して構成されている。クラッチペダル３４とレリーズフォーク３６とは、リンクやプッシュプルケーブル等の機械式連動装置３５を介して機械的に連結されている。また、クラッチペダル３４の近傍にはクラッチセンサ１５０が設けられ、クラッチペダル３４が踏み込み操作されたか否か、すなわち入力クラッチ１４が遮断状態か否かを検出するようになっている。
【００２５】
手動変速機１６は、差動歯車装置１８と共に共通のハウジング４０内に配設されてトランスアクスルを構成しており、そのハウジング４０内に所定量だけ充填された潤滑油に浸漬され、差動歯車装置１８と共に潤滑されるようになっている。手動変速機１６は、(a) 平行な一対の入力軸４２、出力軸４４間に変速比ｅ（＝入力軸４２の回転速度Ｎin／出力軸４４の回転速度Ｎout ）が異なる複数の変速ギヤ対４６ａ〜４６ｅが配設されるとともに、それ等の変速ギヤ対４６ａ〜４６ｅに対応して複数の同期噛合クラッチ４８ａ〜４８ｅが設けられた２軸噛合式の手動変速機構と、(b) それ等の同期噛合クラッチ４８ａ〜４８ｅの３つのクラッチハブスリーブ５０ａ、５０ｂ、５０ｃにそれぞれ係合させられ、クラッチハブスリーブ５０ａ、５０ｂ、５０ｃを移動させることにより何れかのギヤ段を成立させる３本のフォークシャフト５２ａ、５２ｂ、５２ｃと、(c) 図４に示すようにシフトレバー１６０の操作に従って機械的に軸方向であるセレクト方向（図４の左右方向）へ移動させられることにより前記複数のフォークシャフト５２ａ、５２ｂ、５２ｃの任意の一つに選択的に係合させられるとともに、そのセレクト方向と略直角なシフト方向、実施例では軸心まわりに回動させられることによりフォークシャフト５２ａ、５２ｂ、５２ｃを軸方向へ移動させて所定のギヤ段を成立させるシフト・セレクトシャフト５３とを備えており、前進５段のギヤ段が成立させられるようになっている。入力軸４２および出力軸４４には更に後進ギヤ対５４が配設され、図示しないカウンタシャフトに配設された後進用アイドル歯車と噛み合わされることにより後進ギヤ段が成立させられるようになっている。なお、入力軸４２は、スプライン嵌合５５によって前記入力クラッチ１４のクラッチ出力軸２４に連結されているとともに、出力軸４４には出力歯車５６が配設されて差動歯車装置１８のリングギヤ５８と噛み合わされている。図１は、入力軸４２、出力軸４４、およびリングギヤ５８の軸心を共通の平面内に示した展開図である。
【００２６】
上記同期噛合クラッチ４８ａ〜４８ｅは基本構成が同じであり、図３に同期噛合クラッチ４８ａについて具体的に例示するように、キースプリング６０によってクラッチハブスリーブ５０ａに係合させられたシフティングキー６２と、所定の遊びを有する状態でシフティングキー６２と共に回転させられるれるシンクロナイザリング６４と、変速ギヤ対４６ａの入力歯車６６に設けられたコーン部６８とを備えている。クラッチハブスリーブ５０ａの内周面にはスプライン歯７０が設けられて入力軸４２とスプライン嵌合され、入力軸４２と常に一体的に回転させられるようになっており、そのクラッチハブスリーブ５０ａが図の右方向へ移動させられると、シフティングキー６２を介してシンクロナイザリング６４がコーン部６８に押圧されてテーパ嵌合させられ、それ等の間の摩擦によって入力歯車６６との間で動力伝達が行われるようになる。クラッチハブスリーブ５０ａが更に右方向へ移動させられると、スプライン歯７０は、シンクロナイザリング６４に設けられたスプライン歯７２、更には入力歯車６６に設けられたスプライン歯７４と噛み合わされ、これにより入力軸４２と入力歯車６６とが一体的に連結されて、変速ギヤ対４６ａを介して出力軸４４との間で動力伝達が行われる。図３の(a) 、(b) は同期噛合クラッチ４８ａが遮断された状態で、図３の(c) 、(d) は同期噛合クラッチ４８ａが連結された状態である。なお、図３の(a) 、(c) は、軸心を含む一平面の断面図で、(b) 、(d) は(a) 、(c) の状態を外周側から見たクラッチハブスリーブ５０ａの円筒部分を除く展開図である。
【００２７】
他の同期噛合クラッチ４８ｂ〜４８ｅも上記同期噛合クラッチ４８ａと実質的に同じ構成であるが、クラッチハブスリーブ５０ｂは同期噛合クラッチ４８ｂおよび４８ｃに共通のもので、クラッチハブスリーブ５０ｃは同期噛合クラッチ４８ｄおよび４８ｅに共通のものである。
【００２８】
図４において、シフト・セレクトシャフト５３は、機械式連動装置としての一対のセレクト用プッシュプルケーブル１６２、シフト用プッシュプルケーブル１６４を介してシフトレバー１６０に機械的に連結されている。シフトレバー１６０は、運転席の横の斜め前方に配設されているとともに、図５の(c) に示すシフトパターン１６６に従って移動操作されるもので、「１」〜「５」の前進ギヤ段選択操作位置および「Ｒ」の後進ギヤ段選択操作位置へ選択的に操作される。「１」〜「５」は、第１速ギヤ段〜第５速ギヤ段を表している。そして、図５(c) の左右方向であるセレクト方向（車両の左右方向）へシフトレバー１６０が操作されると、セレクト用プッシュプルケーブル１６２を介してシフト・セレクトシャフト５３は軸方向、すなわち図４の左右方向へ直線移動させられる。また、図５(c) の上下方向であるシフト方向（車両の前後方向）へシフトレバー１６０が操作されると、シフト用プッシュプルケーブル１６４を介してシフト・セレクトシャフト５３は軸心まわりに回転させられる。図５(c) のシフトパターン１６６は、図の上方が車両前側である。
【００２９】
シフト・セレクトシャフト５３には係合突起１６８が一体的に固設されており、シフトレバー１６０が「１」、「２」の中間位置へ操作されると、シフト・セレクトシャフト５３は係合突起１６８がフォークシャフト５２ｃの係合部材１７０と係合する第１セレクト位置へ移動させられる。そして、その状態で「１」または「２」位置へ操作されてシフト・セレクトシャフト５３が軸心まわりに回転させられると、フォークシャフト５２ｃが軸方向へ移動させられて同期噛合クラッチ４８ｅまたは４８ｄが連結されることにより、変速比ｅが最も大きい第１速ギヤ段（１ｓｔ）または変速比ｅが２番目に大きい第２速ギヤ段（２ｎｄ）が成立させられる。
【００３０】
シフトレバー１６０が、図５の(c) に示すように「３」、「４」の中間位置へ操作されると、シフト・セレクトシャフト５３は係合突起１６８がフォークシャフト５２ｂの係合部材１７２と係合する第２セレクト位置（図４の位置）へ移動させられる。そして、その状態で「３」または「４」位置へ操作されてシフト・セレクトシャフト５３が軸心まわりに回転させられると、フォークシャフト５２ｂが軸方向へ移動させられて同期噛合クラッチ４８ｃまたは４８ｂが連結されることにより、変速比ｅが３番目に大きい第３速ギヤ段（３ｒｄ）または変速比ｅが４番目に大きい第４速ギヤ段（４ｔｈ）が成立させられる。この第４速ギヤ段の変速比ｅは１である。
【００３１】
シフトレバー１６０が「５」、「Ｒ」の中間位置へ操作されると、シフト・セレクトシャフト５３は係合突起１６８がフォークシャフト５２ａの係合部材１７４と係合する第３セレクト位置へ移動させられる。そして、その状態で「５」位置へ操作されてシフト・セレクトシャフト５３が軸心まわりに回転させられると、フォークシャフト５２ａが軸方向へ移動させられて同期噛合クラッチ４８ａが連結されることにより、変速比ｅが最も小さい第５速ギヤ段（５ｔｈ）が成立させられる。「Ｒ」位置へ操作されると、フォークシャフト５２ａが逆方向へ移動させられることにより後進ギヤ段（リバース）が成立させられる。
【００３２】
シフト・セレクトシャフト５３には、付勢手段として一対の圧縮コイルスプリング１７６、１７８が配設され、軸方向へ付勢されることにより常には前記第２セレクト位置に保持されるようになっている。これにより、シフトレバー１６０は、図５の(c) に示すように、「３」、「４」の中間位置に保持される。すなわち、シフトレバー１６０は、ニュートラル選択状態において自然状態では第３速ギヤ段の選択操作位置「３」と第４速ギヤ段の選択操作位置「４」との間の中間位置に保持されるのであり、この位置がシフトレバー１６０の原位置である。また、原位置の車両後側に選択操作位置が設定されている第４速ギヤ段が後側ギヤ段で、原位置の車両前側に選択操作位置が設定されている第３速ギヤ段が前側ギヤ段である。
【００３３】
上記シフト・セレクトシャフト５３にはまた、シフトストローク検出用のセンサ部材１８０が固設され、ハウジング４０に配設されたシフトストロークセンサ１８２によってシフトストローク、すなわち各フォークシャフト５２ａ〜５２ｃのシフト方向の移動量を検出できるようになっている。図５の(a) に示すように、シフトストロークセンサ１８２は非接触でセンサ部材１８０との間の離間距離Ｄを検出するもので、センサ部材１８０には、シフト・セレクトシャフト５３が図５の(a) に示す中立位置の時、すなわちシフトレバー１６０が図５の(c) に示すようにシフト方向（車両前後方向）の中間位置に保持されている時に、シフトストロークセンサ１８２に対して最も接近するように突出する突起１８４が設けられている。これにより、図５の(b) に示すように離間距離ＤからシフトストロークＳ、すなわちシフト・セレクトシャフト５３の中立位置からの回転角度、更にはシフトレバー１６０のシフト方向の移動量を検出することができる。したがって、このシフトストロークＳにより、同期噛合クラッチ４８ａ〜４８ｅが何れも非噛合状態のニュートラル状態（図５(c) のニュートラル領域）か、同期噛合クラッチ４８ａ〜４８ｅの何れかが噛み合っているギヤ入状態（図５(c) のニュートラル領域を超えた領域）かを判定することができる。
【００３４】
シフト・セレクトシャフト５３には更に、セレクト位置検出用のセンサ部材１９０が固設され、ハウジング４０に配設されたセレクト位置センサ１９２によってセレクト位置、すなわちシフト・セレクトシャフト５３の軸方向位置を検出できるようになっている。セレクト位置センサ１９２は、前記シフトストロークセンサ１８２と同様に非接触でセンサ部材１９０との間の離間距離を検出するもので、センサ部材１９０には、セレクト位置に応じてセレクト位置センサ１９２との離間距離が段階的に変化する段差が設けられており、この離間距離からセレクト位置を検出することができる。また、図示は省略するが、シフト・セレクトシャフト５３が図５(a) に示す中立位置から何れの回転方向へ回転したか、言い換えればシフトレバー１６０が車両前後方向の何れの方向へ操作されたか、を検出するシフト方向センサ１９６（図６参照）が設けられている。したがって、前記シフトストロークセンサ１８２、セレクト位置センサ１９２、およびシフト方向センサ１９６により、シフトレバー１６０が何れのギヤ段選択操作位置へ操作されて、手動変速機１６が何れのギヤ段とされているかを判定することができる。
【００３５】
図１に戻って、前記差動歯車装置１８は傘歯車式のもので、一対のサイドギヤ８０Ｒ、８０Ｌにはそれぞれドライブシャフト８２Ｒ、８２Ｌがスプライン嵌合などによって連結され、左右の前輪（駆動輪）８４Ｒ、８４Ｌを回転駆動する。
【００３６】
図６は、前記同期噛合クラッチ４８ａ〜４８ｅ（以下、特に区別しない場合は単に同期噛合クラッチ４８という）の摩耗や損傷を抑制するために車両用駆動装置１０が備えている制御系統を説明するブロック線図であり、電子制御装置１００には、前記クラッチセンサ１５０、シフトストロークセンサ１８２、セレクト位置センサ１９２、およびシフト方向センサ１９６から各種の信号が供給される他、エンジン回転速度センサ１０２からエンジン回転速度ＮＥを表す信号が供給されるとともに、車速センサ１０４から車速Ｖを表す信号、具体的には前記出力軸４４の回転速度Ｎout を表す信号が供給される。また、電子制御装置１００には、同期噛合クラッチ４８の摩耗や損傷に対する警告表示や警告音等を発する表示器やスピーカ等のウォーニング機器１１０が接続されているとともに、エンジン回転速度ＮＥを調整できる燃料噴射装置や電子スロットル弁等のエンジン制御機器１１２が接続されている。
【００３７】
電子制御装置１００は、所謂マイクロコンピュータを含んで構成されており、ＲＡＭの一時記憶機能を利用しつつＲＯＭに予め記憶されたプログラムに従って信号処理を行うもので、図７に示す同期噛合クラッチ保護手段１２０を機能的に備えている。この同期噛合クラッチ保護手段１２０は、シンクロ押付判定手段１２２、ウォーニング手段１２４、シンクロ押付ギヤ段判定手段１２６、同期エンジン回転速度演算手段１２８、目標エンジン回転速度演算手段１３０、およびエンジン回転速度制御手段１３２を備えて構成されており、図８のフローチャートに従って信号処理を実行する。図８のステップＳ１およびＳ２はシンクロ押付判定手段１２２に相当し、ステップＳ３はウォーニング手段１２４に相当し、ステップＳ４はシンクロ押付ギヤ段判定手段１２６に相当し、ステップＳ５は同期エンジン回転速度演算手段１２８に相当し、ステップＳ６は目標エンジン回転速度演算手段１３０に相当し、ステップＳ７はエンジン回転速度制御手段１３２に相当する。
【００３８】
図８のステップＳ１では、入力クラッチ１４が係合状態（接続状態）か否かを、入力クラッチ１４の遮断状態を検出するクラッチセンサ１５０がＯＦＦか否かによって判断する。入力クラッチ１４が遮断状態の場合は通常のシフト操作と判断してそのまま終了するが、入力クラッチ１４が係合状態の場合はステップＳ２を実行する。ステップＳ２では、複数の同期噛合クラッチ４８の何れかのシンクロナイザリング６４がコーン部６８に押し付けられて摩擦係合しているシンクロ押付状態か否かを、シフトストロークセンサ１８２によって検出されるシフトストロークＳが図５の(c) に斜線で示す予め定められたシンクロ押付領域Ｓｐの範囲内か否かによって判断する。このシンクロ押付領域Ｓｐは、ニュートラル領域の範囲内で且つギヤ入直前の領域であり、各部の寸法誤差や摩耗等を考慮して余裕をもって定められる。図５の(b) に示すように離間距離Ｄがシンクロ押付領域Ｄｐの範囲内か否かによって判断することもできる。そして、シンクロ押付状態でなければ、手動変速機１６が完全なニュートラルか、所定のギヤ段で走行中のギヤ入状態と判断してそのまま終了するが、シンクロ押付状態の場合は、入力クラッチ１４が接続状態であることから同期噛合クラッチ４８の何れかに負荷が掛かって摩耗、損傷し易いシンクロ押付負荷状態と判断し、ステップＳ３以下を実行する。
【００３９】
すなわち、入力クラッチ１４が接続状態で且つ手動変速機１６がニュートラル状態の惰性走行を行っている際に、運転者がシフトレバー１６０に手を置いていると、無意識のうちにシフト方向（車両前後方向）へ力が加えられて、同期噛合クラッチ４８の何れかのシンクロナイザリング６４がコーン部６８に押し付けられ、同期回転させようとするシンクロ押付負荷が発生することがある。しかしながら、入力クラッチ１４が接続状態とされた惰性走行時には、エンジン回転速度ＮＥによって入力側の回転速度Ｎinが定まる一方、出力側の回転速度Ｎout は車速Ｖによって決まるため、入出力回転を変速比ｅに応じて同期させることはできず、シンクロナイザリング６４やコーン部６８（本実施例では特にシンクロナイザリング６４）が摩耗して損傷し、その後の通常のシフト操作時に摩擦による同期が損なわれてギヤ鳴り等の異音が発生するなどのシフト操作不良を生じることがある。このため、ステップＳ３以下の同期噛合クラッチ保護処理を実行して、シンクロナイザリング６４やコーン部６８の摩耗、損傷を抑制するのである。
【００４０】
ステップＳ３では、先ず、予め定められた一定時間後に警告表示や警告音等のウォーニングをウォーニング機器１１０から発生させ、運転者にシンクロ押付負荷状態の回避を促す。一定時間後にウォーニングを発生させるのは、単なる一時的な誤操作の場合や極短時間だけシンクロ押付負荷が加えられた場合までウォーニングを発する必要はないからである。図９は、図８のフローチャートに従って同期噛合クラッチ保護処理が実行される際のエンジン回転速度ＮＥおよびウォーニングの有無（ＯＮ、ＯＦＦ）の変化を示すタイムチャートの一例で、時間ｔ１はシンクロ押付負荷状態である旨の判定が為されてステップＳ２の判断がＹＥＳ（肯定）となった時間であり、時間ｔ２はステップＳ３の実行により一定時間後にウォーニングが発せられた時間である。なお、図９のエンジン回転速度ＮＥの欄の「ＮＥidl 」は、アイドル回転速度を表している。
【００４１】
ステップＳ４では、セレクト位置センサ１９２によって検出されるセレクト位置およびシフト方向センサ１９６によって検出されるシフト方向に基づいて、シンクロナイザリング６４がコーン部６８に押し付けられている同期噛合クラッチ４８によって成立させられるギヤ段、すなわちシンクロ押付ギヤ段を特定する。具体的には、例えば第１セレクト位置でシフト方向が車両前側であれば第１速ギヤ段をシンクロ押付ギヤ段と判定し、第１セレクト位置でシフト方向が車両後側であれば第２速ギヤ段をシンクロ押付ギヤ段と判定し、第２セレクト位置でシフト方向が車両前側であれば第３速ギヤ段をシンクロ押付ギヤ段と判定し、第２セレクト位置でシフト方向が車両後側であれば第４速ギヤ段をシンクロ押付ギヤ段と判定する。
【００４２】
ステップＳ５では、上記シンクロ押付ギヤ段が成立した場合、言い換えればシンクロ押付ギヤ段の同期噛合クラッチ４８に関するシンクロナイザリング６４とコーン部６８との回転速度差が０となる場合、のエンジン１２の回転速度ＮＥを、同期エンジン回転速度ＮＥdokiとして算出する。エンジン１２は入力クラッチ１４やスプライン嵌合５５等を介して入力軸４２に直結されるため、車速Ｖに対応する出力側回転速度Ｎout にシンクロ押付ギヤ段の変速比ｅsiを掛け算することによって同期エンジン回転速度ＮＥdokiを求めることができる。次のステップＳ６では、その同期エンジン回転速度ＮＥdokiに基づいて、経過時間に応じて目標エンジン回転速度ＮＥｍを算出し、ステップＳ７では、実際のエンジン回転速度ＮＥがその目標エンジン回転速度ＮＥｍとなるようにエンジン制御機器１１２を制御する。本実施例では、図９に示すようにウォーニング発生時間ｔ２から所定時間経過した時間ｔ３で、同期エンジン回転速度ＮＥdokiよりも一定回転或いは一定割合だけ低い第１回転速度まで上昇させるとともに、その後一定時間経過した後に一定の変化率で漸増させ、同期エンジン回転速度ＮＥdokiよりも一定回転或いは一定割合だけ低い第２回転速度で一定に維持されるように、予め定められた変化パターンに従って段階的に上昇させる。シンクロ押付ギヤ段に関する同期噛合クラッチ４８のシンクロナイザリング６４とコーン部６８との回転速度差が０となる同期エンジン回転速度ＮＥdokiまで上昇させないのは、同期により運転者の意に反してギヤ入りして所定のギヤ段が成立させられることを回避するとともに、エンジン１２の作動で燃費が悪化することを少しでも抑制するためである。
【００４３】
ステップＳ８では、入力クラッチ１４が遮断状態になったか、シンクロ押付状態が解除されたか、或いは車速Ｖが所定の閾値範囲外になったか、を判断し、何れもＮＯ（否定）の場合にはステップＳ５以下を繰り返してエンジン回転速度制御を継続するが、何れか１つでも成立した場合にはステップＳ９を実行し、エンジン回転速度制御およびウォーニングを終了する。入力クラッチ１４が遮断状態になれば、同期噛合クラッチ４８のシンクロナイザリング６４とコーン部６８との間に掛かる負荷が低下して摩耗や損傷の恐れが無くなるのであり、入力クラッチ１４が遮断状態か否かは、ステップＳ１と同様にクラッチセンサ１５０から供給される信号に基づいて判断できる。シフトレバー１６０による押付解除或いはギヤ入りによりシンクロ押付状態が解除された場合も、同期噛合クラッチ４８のシンクロナイザリング６４とコーン部６８との摩擦係合が解除されて摩耗や損傷の恐れが無くなるのであり、シンクロ押付状態が解除されたか否かは、ステップＳ２と同様にシフトストロークセンサ１８２によって検出されるシフトストロークＳから判断できる。車速Ｖについては、例えばブレーキの踏み込み操作などで停車する場合、車速Ｖが１０〜１５ｋｍ／ｈ程度以下になれば、クラッチペダル３４が踏み込み操作されて入力クラッチ１４が遮断状態とされる蓋然性が高くなるため、敢えてステップＳ３〜Ｓ８の同期噛合クラッチ保護処理を継続する必要はない。
【００４４】
このように本実施例の車両用駆動装置１０においては、入力クラッチ１４が接続状態で且つ手動変速機１６がニュートラル状態の惰性走行時に同期噛合クラッチ４８の何れかがシンクロ押付負荷状態とされた場合には、図８のステップＳ３以下の同期噛合クラッチ保護処理が実行されることにより、ウォーニングが発せられるとともにエンジン回転速度ＮＥが上昇させられるため、同期噛合クラッチ４８の摩擦係合によるシンクロナイザリング６４やコーン部６８（特にシンクロナイザリング６４）の摩耗、損傷が抑制されて手動変速機１６の耐久性が向上する。すなわち、ウォーニングによって運転者がシフトレバー１６０を放すなどして同期噛合クラッチ４８の押し付けが解除されれば、シンクロ押付負荷によるシンクロナイザリング６４やコーン部６８の摩耗、損傷が防止される一方、エンジン回転速度ＮＥを上昇させれば、同期噛合クラッチ４８の相対回転速度が小さくなってシンクロ押付負荷による摩耗や損傷が抑制される。
【００４５】
また、本実施例では、変速比ｅが異なる複数のギヤ段を成立させることが可能な手動変速機１６を備えており、同期噛合クラッチ保護手段１２０は、シンクロ押付負荷が加えられている同期噛合クラッチ４８により成立させられるシンクロ押付ギヤ段を検出するとともに、そのシンクロ押付ギヤ段の変速比ｅsiおよび車速Ｖに基づいて同期エンジン回転速度ＮＥdokiを算出し、その同期エンジン回転速度ＮＥdokiに基づいて定められる目標エンジン回転速度ＮＥｍに従ってエンジン回転速度ＮＥを上昇させるため、同期噛合クラッチ４８の相対回転速度を適切に低減して摩耗や損傷を抑制することができる。すなわち、同期エンジン回転速度ＮＥdokiはギヤ段の変速比ｅに応じてそれぞれ異なるため、シンクロ押付負荷が加えられている同期噛合クラッチ４８により成立させられるシンクロ押付ギヤ段を検出して同期エンジン回転速度ＮＥdokiを算出することにより、目標エンジン回転速度ＮＥｍを適切に設定して同期噛合クラッチ４８の摩耗や損傷を抑制することができるのである。
【００４６】
ここで、エンジン回転速度ＮＥを同期エンジン回転速度ＮＥdokiまで上昇させれば同期噛合クラッチ４８の相対回転速度が０になり、摩耗や損傷が確実に防止されるが、エンジン１２の作動で燃費が悪化するとともに、同期により運転者の意に反して同期噛合クラッチ４８が噛み合って所定のギヤ段が成立してしまう恐れがある。これに対し、本実施例では、同期エンジン回転速度ＮＥdokiに基づいて目標エンジン回転速度ＮＥｍを設定するため、運転者の意に反して所定のギヤ段が成立したり燃費が悪化したりすることをできるだけ抑制しつつ、同期噛合クラッチ４８の摩耗や損傷が適切に抑制されるようにすることができる。具体的には、目標エンジン回転速度ＮＥｍを、図９に示すように同期エンジン回転速度ＮＥdokiよりも低い回転速度範囲で段階的に上昇させるようにしているため、運転者の意に反して所定のギヤ段が成立することを回避できるとともに、エンジン回転速度ＮＥの上昇に伴う燃費の悪化をできるだけ抑制しつつ同期噛合クラッチ４８の摩耗や損傷を適切に抑制できる。
【実施例２】
【００４７】
次に、本発明の他の実施例を説明する。なお、以下の実施例において前記実施例と実質的に共通する部分には同一の符号を付して詳しい説明を省略する。
【００４８】
図１０および図１１は、それぞれ前記図７および図８に対応する機能ブロック線図およびフローチャートで、本実施例の同期噛合クラッチ保護手段２００は、前記シンクロ押付ギヤ段判定手段１２６の代わりに第４速ギヤ段押付判定手段２０２を備えており、シンクロ押付ギヤ段が第４速ギヤ段の場合にのみ、その第４速ギヤ段を成立させる同期噛合クラッチ４８ｂの摩耗や損傷を抑制するために、ウォーニング手段１２４によってウォーニングを発したりエンジン回転速度制御手段１３２によってエンジン回転速度制御を行ったりする点が相違する。図１１のフローチャートのステップＳ２−１およびＳ２−２は第４速ギヤ段押付判定手段２０２に相当し、ステップＳ２−１では、前記ステップＳ４と同様にしてシンクロ押付ギヤ段を判定する。また、ステップＳ２−２では、そのシンクロ押付ギヤ段が第４速ギヤ段か否かを判断し、第４速ギヤ段の場合にはステップＳ３以下の同期噛合クラッチ保護処理を実行するが、第４速ギヤ段以外の場合は一時的な誤操作と見做してそのまま終了する。
【００４９】
すなわち、シフトレバー１６０は運転席の横の斜め前方に配設されているため、惰性走行時に原位置に保持されているシフトレバー１６０に運転者が手を載せている場合、運転者は無意識のうちにシフトレバー１６０を車両後側すなわち手前に引くように力を加えていることが多い。このため、その原位置の手前（車両後側）に選択操作位置が設けられている第４速ギヤ段（後側ギヤ段）の同期噛合クラッチ４８ｂにシンクロ押し付け力が加えられ、これが長期間に亘って繰り返されることにより、その同期噛合クラッチ４８ｂのみが集中的に摩耗して損傷する可能性がある。このため、本実施例では、シンクロ押付ギヤ段が第４速ギヤ段の場合にのみステップＳ３以下の同期噛合クラッチ保護処理を実行し、必要以上にその保護処理が行われて燃費等が悪化することを抑制しつつ、同期噛合クラッチ４８ｂの摩耗や損傷を適切に抑制するようにしたのであり、これにより手動変速機１６の耐久性が向上する。
【実施例３】
【００５０】
また、前記実施例１では、入力クラッチ１４が接続状態で且つ手動変速機１６がニュートラル状態の惰性走行を行っている際に、シフトストロークセンサ１８２によって検出されるシフトストロークＳが予め定められたシンクロ押付領域Ｓｐの範囲内の場合に、何れかの同期噛合クラッチ４８が摩擦係合させられているシンクロ押付負荷状態と判定するようになっていたが、同期噛合クラッチ４８のシンクロナイザリング６４がコーン部６８に押し付けられると、それ等の摩擦による動力伝達によってエンジン回転速度ＮＥは図１２に示すように一時的に上昇させられるため、この時のエンジン回転速度ＮＥの変化やアイドル回転速度制御手段の制御内容の変化からシンクロ押付負荷状態を判定することもできる。すなわち、惰性走行時には一般にアイドル回転速度制御手段によってエンジン回転速度ＮＥが所定のアイドル回転速度ＮＥidl に維持されるようにエンジン制御機器１１２等が制御されるが、シンクロナイザリング６４がコーン部６８に押し付けられて摩擦係合させられると、アイドル回転速度制御の応答遅れによりエンジン回転速度ＮＥが一時的に上昇してしまうのである。この場合には、実際にシンクロナイザリング６４がコーン部６８に押し付けられるシンクロ押付負荷状態を検出して同期噛合クラッチ保護処理を実行することになるため、その同期噛合クラッチ保護処理の実行が必要最小限に抑えられ、燃費の悪化が一層効果的に抑制される。
【００５１】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００５２】
１０：車両用駆動装置    １２：エンジン（走行用駆動源）    １４：入力クラッチ    １６：手動変速機    ４８ａ〜４８ｅ：同期噛合クラッチ    ５０ａ〜５０ｃ：クラッチハブスリーブ    ６４：シンクロナイザリング    ６８：コーン部    １００：電子制御装置    １１０：ウォーニング機器    １１２：エンジン制御機器    １２０、２００：同期噛合クラッチ保護手段    １５０：クラッチセンサ    １６０：シフトレバー    １８２：シフトストロークセンサ    Ｓ：シフトストローク    Ｓｐ、Ｄｐ：シンクロ押付領域    ＮＥdoki：同期エンジン回転速度（同期回転速度）    ＮＥｍ：目標エンジン回転速度（目標回転速度）
【図１】
2011163510.tif 000003
【図２】
2011163510.tif 000004
【図３】
2011163510.tif 000005
【図４】
2011163510.tif 000006
【図５】
2011163510.tif 000007
【図６】
2011163510.tif 000008
【図７】
2011163510.tif 000009
【図８】
2011163510.tif 000010
【図９】
2011163510.tif 000011
【図１０】
2011163510.tif 000012
【図１１】
2011163510.tif 000013
【図１２】
2011163510.tif 000014